(57)【要約】【課題】膝関節の固定に最適であり、膝の裏側に挟まることがなく、自分自身で確実にしかも簡単にテーピングをすることのできる膝関節用テーピングテープを提供すること。【解決手段】テープ基材と、前記テープ基材の一方側面の全面に亘って設けられた粘着材層と、を有する膝関節用テーピングテープであって、前記膝関節用テーピングテープは、膝を正面側から支持するように貼着される膝支持貼着部と、前記膝支持貼着部の一方側の端部からそれぞれ延設された少なくとも２本の一方側延設部と、前記膝支持貼着部の他方側の端部からそれぞれ延設された少なくとも２本の他方側延設部と、を有する。【選択図】図２
2012223236.tif 000002
【特許請求の範囲】
【請求項１】
テープ基材と、前記テープ基材の一方側面の全面に亘って設けられた粘着材層と、を有する膝関節用テーピングテープであって、
前記膝関節用テーピングテープは、
膝を正面側から支持するように貼着される膝支持貼着部と、
前記膝支持貼着部の一方側の端部からそれぞれ延設された少なくとも２本の一方側延設部と、
前記膝支持貼着部の他方側の端部からそれぞれ延設された少なくとも２本の他方側延設部と、
を有することを特徴とする膝関節用テーピングテープ。
【請求項２】
前記膝支持貼着部と前記一方側延設部との境界部分に、切欠き部が設けられていることを特徴とする請求項１に記載の膝関節用テーピングテープ。
【請求項３】
前記膝支持貼着部と前記他方側延設部との境界部分に、切欠き部が設けられていることを特徴とする請求項１または２に記載の膝関節用テーピングテープ。
【請求項４】
前記膝支持貼着部に貼着位置調整用切欠き部が設けられていることを特徴とする請求項１〜３のいずれかに記載の膝関節用テーピングテープ。
【請求項５】
前記膝関節用テーピングテープが、
前記膝支持貼着部を中心として左右方向にのみ伸縮し、上下方向には伸縮しないことを特徴とする請求項１〜４のいずれかに記載の膝関節用テーピングテープ。
【請求項６】
前記膝支持貼着部に、
使用時における前記膝支持貼着部の伸縮量を確認可能とする伸縮指標が付されていることを特徴とする請求項５に記載の膝関節用テーピングテープ。
【請求項７】
前記粘着材層は、
前記膝関節用テーピングテープが伸縮する左右方向に合わせて直線状，波状，ジグザグ状のいずれかの形状で塗布されていることを特徴とする請求項５または６に記載の膝関節用テーピングテープ。
【請求項８】
前記粘着材層上に剥離層が設けられ、
前記剥離層には、前記膝支持貼着部と前記一方側延設部と前記他方側延設部との各境界部分にミシン目が入れられていることを特徴とする請求項１〜７のいずれかに記載の膝関節用テーピングテープ。
【請求項９】
前記剥離層には、前記膝関節用テーピングテープを構成する各部に相当する部分に、前記膝関節用テーピングテープの使用時における貼着順序を示す順序指標が付されていることを特徴とする請求項８に記載の膝関節用テーピングテープ。
【発明の詳細な説明】
【技術分野】
【０００１】
本発明は、膝関節の動作範囲を所定の範囲に抑制するため、膝およびその周囲へ貼着して用いられる膝関節用テーピングテープに関する。
【背景技術】
【０００２】
従来より、伸縮性を有する布製の基材と、この基材の片面に粘着材層とを有する粘着テープを用いて、人体の関節部の動作範囲を所定の範囲に抑制することがスポーツ，医療，介護などの現場で行われている。
【０００３】
これは、関節部の怪我を未然に防止する目的や怪我の応急処理などを目的とする技法であり、一般に「テーピング」と呼ばれている。
テーピングに用いられる粘着テープはテーピングテープと呼ばれ、長尺状の粘着テープが芯材に巻装されてなるものが、ドラッグストアやスポーツ用品店などで入手可能である。
【０００４】
ところで、このようなテーピングテープを用いて行われるテーピングは、専門知識が必要であるため、正しく行うには専門知識を有する医療従事者やスポーツトレーナーなどにやってもらうのが一般的である。しかしながら、テーピングが必要なその都度、医療従事者やスポーツトレーナーの元に出向くことはなかなか難しく、例えば足腰が弱くなった高齢者にとっては、テーピングのための通院自体が大変な労力である。
【０００５】
そこで予め所定の形状にカットされた粘着テープを作成しておき、これを用いることで自分自身でも簡単にテーピングを行えるようにしたテーピングテープが発明されている（特許文献１）。
【０００６】
このようなテーピングテープ１００は、図２１に示したように長辺と短辺からなる長方形形状であり、テープ基材１０２の片面に粘着材層１０４を有し、この粘着材層１０４側の一部に非粘着部１０６が設けられ、短辺側から非粘着部１０６近辺に及ぶ切れ目１０８が施されて成るものである。
【０００７】
そして、例えば膝１５０にこのテーピングテープ１００を使用する場合には、図２２に示したように、膝１５０の裏側にテーピングテープ１００の非粘着部１０６を当て、残りの４つの端部を膝の裏側から膝１５０の膝の皿（膝蓋骨）１５２周囲に巻着することで、自分自身で確実に関節部の良好な固定ができるようになっている。
【先行技術文献】
【特許文献】
【０００８】
【特許文献１】特許第４５７９４４７号公報
【発明の概要】
【発明が解決しようとする課題】
【０００９】
しかしながら特許文献１に開示されたテーピングテープ１００を膝１５０に用いた場合、膝１５０を曲げた際にテーピングテープ１００の非粘着部１０６が膝１５０の屈曲部分である裏側に挟まって異物感を感じる場合があり、場合によっては膝１５０の繰り返しの曲げ伸ばしによってテーピングテープ１００が変形し、膝１５０の裏側にテーピングテープ１００の変形した箇所が食い込んで炎症を生ずる場合があった。
【００１０】
また、単に切れ目１０８を入れているだけであるため、４つに分かれた端部がうまく膝に合わせて広がり難く、上手く貼着することは困難であった。
なお特許文献１に開示されたテーピングテープ１００は、適用箇所を関節部としており、どこに用いるものかを限定したものではない。ところが関節部は例えば手首，足首，膝などいずれとして同じ動きをする箇所はないため、予めカットされたテーピングテープ１００は、どの部位に用いるかを考えた上で開発されたものでなければ、確実な効果を得ることはできないものである。
【００１１】
したがって、所定の関節部に合わせた適切な固定ができ、上記したような従来の問題を解消し、自分自身で確実にテーピングをすることのできるテーピングテープが求められているのが現状である。
【００１２】
本発明は、このような現状に鑑み、膝関節の固定に最適であり、膝の裏側に挟まることがなく、自分自身で確実にしかも簡単にテーピングをすることのできる膝関節用テーピングテープを提供することを目的とする。
【課題を解決するための手段】
【００１３】
本発明は、前述したような従来技術における課題及び目的を達成するために発明されたものであって、
本発明の膝関節用テーピングテープは、
テープ基材と、前記テープ基材の一方側面の全面に亘って設けられた粘着材層と、を有する膝関節用テーピングテープであって、
前記膝関節用テーピングテープは、
膝を正面側から支持するように貼着される膝支持貼着部と、
前記膝支持貼着部の一方側の端部からそれぞれ延設された少なくとも２本の一方側延設部と、
前記膝支持貼着部の他方側の端部からそれぞれ延設された少なくとも２本の他方側延設部と、
を有することを特徴とする。
【００１４】
このように構成されていれば、膝の正面側から膝関節用テーピングテープを貼着することとなるため、膝の裏側に膝関節用テーピングテープが挟まって違和感を生ずるようなことがない。
【００１５】
さらに、膝支持貼着部と２本の一方側延設部と２本の他方側延設部の合計５つの部位から膝関節用テーピングテープが構成されており、使用時には各部位を予め決められた箇所に単純に貼着させるだけで良いため、誰でも簡単で確実にテーピングをすることができる。
【００１６】
また、本発明の膝関節用テーピングテープは、
前記膝支持貼着部と前記一方側延設部との境界部分に、切欠き部が設けられていることを特徴とする。
【００１７】
さらに、本発明の膝関節用テーピングテープは、
前記膝支持貼着部と前記他方側延設部との境界部分に、切欠き部が設けられていることを特徴とする。
【００１８】
このように切欠き部が設けられていれば、一方側延設部と他方側延設部とを、例えば内腿と外腿とに貼着させる際に、膝関節用テーピングテープの貼着方向を微妙に変化させ易くすることができる。
【００１９】
さらに、膝支持貼着部と一方側延設部との境界部分，膝支持貼着部と他方側延設部との境界部分から剥がれを生じたり、膝関節用テーピングテープの粘着材層の一部分だけが向き合わせになって互いに貼り付いてしまうようなことを防止でき、確実にテーピングをすることができる。
【００２０】
また、本発明の膝関節用テーピングテープは、
前記膝支持貼着部に貼着位置調整用切欠き部が設けられていることを特徴とする。
このような貼着位置調整用切欠き部が膝支持貼着部の上部に設けられていれば、膝の皿（膝蓋骨）部分の下から支持するように膝支持貼着部を貼着する際に、膝の皿（膝蓋骨）部分の曲面に沿って膝支持貼着部を貼着することができ、また貼着位置を分かり易くさせることができる。したがって、誰でも簡単で確実にテーピングをすることができる。
【００２１】
また、本発明の膝関節用テーピングテープは、
前記膝支持貼着部を中心として左右方向にのみ伸縮し、上下方向には伸縮しないことを特徴とする。
このように伸縮する方向が決められた膝関節用テーピングテープであれば、膝関節の最低限必要な動作範囲を確保しながら、確実に動作範囲を抑制することができる。
【００２２】
また、本発明の膝関節用テーピングテープは、
前記膝支持貼着部に、
使用時における前記膝支持貼着部の伸縮量を確認可能とする伸縮指標が付されていることを特徴とする。
【００２３】
このように伸縮指標が付されていれば、どの程度伸張した状態で、膝支持貼着部を膝の所定の部位に貼着すれば最適なテーピングを行えるかを確実に知ることができ、誰でも確実に正しくテーピングを行うことができる。
【００２４】
また、本発明の膝関節用テーピングテープは、
前記粘着材層は、
前記膝関節用テーピングテープが伸縮する左右方向に合わせて直線状，波状，ジグザグ状のいずれかの形状で塗布されていることを特徴とする。
【００２５】
このような形状で粘着材層が設けられていれば、膝関節用テーピングテープの伸縮に合わせて、粘着材層も伸縮させることができ、膝関節用テーピングテープの伸縮効果を阻害せず、テーピングの効果を最大限に利用することができる。
【００２６】
さらに、粘着材層の形状が直線状，波状，ジグザグ状であれば、各条間に通気路が確保されることになるため、皮膚と膝関節用テーピングテープとの間に汗が溜まったり、皮膚が炎症を生じてしまうようなことを効果的に防止することができる。
【００２７】
また、本発明の膝関節用テーピングテープは、
前記粘着材層上に剥離層が設けられ、
前記剥離層には、前記膝支持貼着部と前記一方側延設部と前記他方側延設部との各境界部分にミシン目が入れられていることを特徴とする。
【００２８】
このように各部の境界部分にミシン目が入れられていれば、膝関節用テーピングテープの使用時において、想定していない箇所が予期せぬ部位に貼り付いてしまうことなどを防止することができ、確実にテーピングを行うことができる。
【００２９】
また、本発明の膝関節用テーピングテープは、
前記剥離層には、前記膝関節用テーピングテープを構成する各部に相当する部分に、前記膝関節用テーピングテープの使用時における貼着順序を示す順序指標が付されていることを特徴とする。
【００３０】
このように順序指標が付されていれば、膝関節用テーピングテープの使用時において貼着順序が明らかであるため、誰でも間違うことなく正しい順序でテーピングを行うことができる。
【発明の効果】
【００３１】
本発明の膝関節用テーピングテープは、膝関節の固定に特化した最適形状に予めカットされており、膝の前面側から貼着するようになっているため、膝の裏側に挟まってしまうことがなく、自分自身で確実にしかも簡単にテーピングをすることができる。
【図面の簡単な説明】
【００３２】
【図１】図１は、本発明の膝関節用テーピングテープの断面を示した概略図である。
【図２】図２は、本発明の膝関節用テーピングテープを正面側から視認した斜視図である。
【図３】図３は、本発明の膝関節用テーピングテープの伸縮指標について説明するための説明図であって、図３（ａ）は膝支持貼着部を左右に伸ばす前の伸縮指標の状態図、図３（ｂ）は膝支持貼着部を左右に伸ばした際の伸縮指標の状態図である。
【図４】図４は、本発明の膝関節用テーピングテープを背面側から視認した斜視図である。
【図５】図５は、本発明の膝関節用テーピングテープの順序指標について説明するための斜視図である。
【図６】図６は、本発明の膝関節用テーピングテープの使用状態を示した斜視図である。
【図７】図７は、本発明の膝関節用テーピングテープの他の実施形態を示した正面図である。
【図８】図８は、本発明の膝関節用テーピングテープの他の実施形態を示した正面図である。
【図９】図９は、本発明の膝関節用テーピングテープを貼着する前の膝を中心とした箇所を示した斜視図である。
【図１０】図１０は、本発明の膝関節用テーピングテープの使用における貼着手順を説明するための説明図であって、膝支持貼着部の剥離層を剥がしている状態を示した状態図である。
【図１１】図１１は、本発明の膝関節用テーピングテープの膝支持貼着部を左右に伸ばした状態を示した状態図である。
【図１２】図１２は、本発明の膝関節用テーピングテープの膝支持貼着部を膝に貼着した状態を示した斜視図である。
【図１３】図１３は、本発明の膝関節用テーピングテープの使用における貼着手順を説明するための説明図であって、第１一方側延設部の剥離層を剥がしている状態を示した状態図である。
【図１４】図１４は、本発明の膝関節用テーピングテープの第１一方側延設部を内腿に貼着した状態を示した斜視図である。
【図１５】図１５は、本発明の膝関節用テーピングテープの使用における貼着手順を説明するための説明図であって、第１他方側延設部の剥離層を剥がしている状態を示した状態図である。
【図１６】図１６は、本発明の膝関節用テーピングテープの第１他方側延設部を外腿に貼着した状態を示した斜視図である。
【図１７】図１７は、本発明の膝関節用テーピングテープの使用における貼着手順を説明するための説明図であって、第２一方側延設部の剥離層を剥がしている状態を示した状態図である。
【図１８】図１８は、本発明の膝関節用テーピングテープの第２一方側延設部を内腿に貼着した状態を示した斜視図である。
【図１９】図１９は、本発明の膝関節用テーピングテープの使用における貼着手順を説明するための説明図であって、第２他方側延設部の剥離層を剥がしている状態を示した状態図である。
【図２０】図２０は、本発明の膝関節用テーピングテープの第２他方側延設部を外腿に貼着した状態を示した斜視図である。
【図２１】図２１は、従来のテーピングテープを示した斜視図である。
【図２２】図２２は、従来のテーピングテープの使用状態を示した状態図である。
【発明を実施するための形態】
【００３３】
＜膝関節用テーピングテープ１０＞
以下、本発明の実施の形態（実施例）を図面に基づいてより詳細に説明する。
本発明の膝関節用テーピングテープ１０は、膝関節の動作範囲を所定の範囲に抑制するため、膝５０およびその周囲へ貼着して用いられるものである。
【００３４】
具体的には図１に示したように、テープ基材１２と、テープ基材１２の一方側面の全面に亘って設けられた粘着材層１４と、粘着材層１４の上に設けられた剥離層１６と、を有する積層体からなり、使用の際には剥離層１６を剥がして使用されるものである。
【００３５】
ここでテープ基材１２の材質としては、一般的なテーピングテープに用いられているものが使用でき、例えば伸縮性を有する天然ゴム，合成ゴム，布などを用いることができる。
【００３６】
また粘着材層１４の材質についても、一般的なテーピングテープに用いられているものが使用でき、例えばアクリル系，ゴム系，ビニルエーテル系，シリコーン系などを用いることができる。中でもアクリル系は、貼着された際に皮膚への刺激が少ないため好ましい。
【００３７】
剥離層１６についても、一般的なテーピングテープに用いられているものが使用でき、例えばシリコーンモノマーで表面処理された紙などを用いることができる。
このような積層体からなる膝関節用テーピングテープ１０の具体的な形態は、図２に示したように、膝５０を正面側から支持するように貼着される膝支持貼着部１８と、この膝支持貼着部１８の一方側（図１では左側）の端部からそれぞれ延設された少なくとも２本の一方側延設部（第１一方側延設部２０，第２一方側延設部２２）と、膝支持貼着部１８の他方側（図１では右側）の端部からそれぞれ延設された少なくとも２本の他方側延設部（第１他方側延設部２４，第２他方側延設部２６）と、を有してなり、全体で左右方向に長細い長方形の形態をしている。
【００３８】
なお、膝支持貼着部１８と一方側延設部（図１では第２一方側延設部２２）との境界部分には切欠き部２８が設けられており、同様に膝支持貼着部１８と他方側延設部（図１では第２他方側延設部２６）との境界部分にも切欠き部３０が設けられている。
【００３９】
この切欠き部２８，３０は、第２一方側延設部２２と第２他方側延設部２６とを、例えば内腿６２と外腿６４とに沿って貼着させる際に、膝関節用テーピングテープ１０の貼着方向を微妙に変化させ易くして、膝支持貼着部１８との境界部分から第２一方側延設部２２と第２他方側延設部２６とが剥がれを生じたりすることを防止するためのものである。
【００４０】
本形態では、膝支持貼着部１８の下辺側にのみ切欠き部２８，３０を形成しているが、上辺側の第１一方側延設部２０と第１他方側延設部２４との境界部分に設けても、さらには両側に設けても良いものであり、適宜変更が可能なものである。
【００４１】
また、膝支持貼着部１８の切欠き部２８，３０が設けられている下辺側と対向する上辺側には、貼着位置調整用切欠き部３２が設けられている。
この貼着位置調整用切欠き部３２は、膝の皿５２部分（膝蓋骨部分）を下から支持するように膝支持貼着部１８を貼着する際に、膝の皿５２部分（膝蓋骨部分）の下側が貼着位置調整用切欠き部３２にちょうど収まるように設定されており、これにより膝の皿５２部分（膝蓋骨部分）の曲面に沿って膝支持貼着部１８をぴったりと貼着することができる。
【００４２】
また、貼着位置調整用切欠き部３２は、貼着位置の目安にもなるので、テーピングを間違えることなく所定の位置に確実にすることができる。
さらに、膝支持貼着部１８の正面には、使用時における膝支持貼着部１８の伸縮量を自分自身で確認可能とする伸縮指標３８が付されている。
【００４３】
この伸縮指標３８は、膝関節用テーピングテープ１０の貼着時における適切な伸縮量を確認するためのものであり、本実施形態では楕円形の中に文字が記載されてなるものである。
【００４４】
このような伸縮指標３８は、図３（ａ）に示したように、膝支持貼着部１８を左右に引張る前には楕円形であるものの、図３（ｂ）に示したように膝支持貼着部１８を左右に引張ると丸形となる。この丸形を貼着時の適切な膝支持貼着部１８の引張り具合としておけば、誰でも確実に適切な引張り具合で膝支持貼着部１８を貼着することができる。
【００４５】
なお、伸縮指標３８は特に形状が限定されるものではなく、適切な膝支持貼着部１８の引張り量が分かるようになっていれば例えば文字や色が付されていても良いものである。
このような膝関節用テーピングテープ１０は、長辺の方向（一方側延設部２０，２２と他方側延設部２４，２６を有する左右の方向）にのみ伸縮し、短辺方向には伸縮しないことが好ましい。
【００４６】
このように膝関節用テーピングテープ１０が一方向のみに伸縮するという特性を有していれば、使用の際に、膝５０の最低限必要な動作範囲を確保しながらにして、確実に動作範囲を所定の範囲に抑制させることができる。
【００４７】
さらに膝関節用テーピングテープ１０の背面側に位置する剥離層１６には、図４に示したように膝支持貼着部１８と一方側延設部２０，２２との境界部分および膝支持貼着部１８と他方側延設部２４，２６との境界部分、すなわち貼着予定の位置に合わせてミシン目３４が入れられている。
【００４８】
ミシン目３４を予め入れておくことで、膝関節用テーピングテープ１０の使用時に想定していない箇所が予期せぬ部位に貼り付いてしまうことなどを防止できる。
なお、図４では第２一方側延設部２２上の剥離層１６を一部剥離した状態となっており、剥離層１６の下に位置する粘着材層１４が直線状に塗布されている。この粘着材層１４の塗布形状については、膝関節用テーピングテープ１０の伸縮する長辺の方向に合わせていれば如何なる形状であっても良く、直線状以外にも例えば波状，ジグザグ状などとすることができる。
【００４９】
このような形状であれば、膝関節用テーピングテープ１０の伸縮に合わせて粘着材層１４も伸縮されるため、膝関節の固定範囲を適切な範囲とし、最低限に必要な可動範囲は確保することができる。
【００５０】
さらに、各形状の条間に通気路が形成されることになるため、皮膚への接触面積も少なくて済み、通気性が悪く皮膚への接触面積が大きい場合に生ずる炎症などを極力防止することができる。
【００５１】
また剥離層１６には、図５に示したように使用の際に貼着されるべき順序を示す順序指標３６が付されていることが好ましい。このような順序指標３６は、図５に示した数字のように、貼着順序が一目見て分かるような指標であれば如何なるものであっても良く、数字以外にもアルファベット，ひらがな，カタカナ，絵など特に限定されるものではない。
【００５２】
このような形態を有する膝関節用テーピングテープ１０の貼着状態を図６に示す。
膝関節用テーピングテープ１０は、膝支持貼着部１８の貼着位置調整用切欠き部３２が膝の皿（膝蓋骨）５２部分の下端にぴったり合うようにして貼着され、一方側延設部（第１一方側延設部２０，第２一方側延設部２２）が太腿６０の内腿６２に並んで貼着され、他方側延設部（第１他方側延設部２４，第２他方側延設部２６）が太腿６０の外腿６４に並んで貼着されることで、確実に動作範囲を所定の範囲に抑制することができる。
【００５３】
なお第１一方側延設部２０の好ましい貼着位置および貼着方法としては、内腿６２の内側広筋に沿って引張らずにそのまま貼着することであり、第２一方側延設部２２の好ましい貼着位置としては、内腿６２の半腱様筋に沿って引張らずにそのまま貼着することである。
【００５４】
一方、第１他方側延設部２４の好ましい貼着位置としては、外腿６４の外側広筋に沿って引張らずにそのまま貼着することであり、第２他方側延設部２６の好ましい貼着位置としては、外腿６４の大腱二頭筋に沿って引張らずにそのまま貼着することである。
【００５５】
このように本発明の膝関節用テーピングテープ１０は、膝５０の正面側から貼着するために上記したような特異な形態を有しており、この形態によって使用時には各部位を予め決められた箇所に単純に貼着させるだけで誰でも簡単で確実にテーピングをすることができる。
【００５６】
また上記説明に用いた膝関節用テーピングテープ１０の形態は略長方形であったが、これに限定されるものではなく、例えば図７に示したようにＸ状としたり、図８に示したようにＵ字状としても構わないものである。要は膝５０を中心として内腿６２と外腿６４に貼着されるものであるため、これに適した形態になっていれば、本発明の特徴的な構成を満足する如何なる形態でも良いものである。
【００５７】
さらに図７および図８に示した膝関節用テーピングテープ１０には切欠き部２８，３０を設けているが、これについても膝関節用テーピングテープ１０の形態によっては無くても良いものであり、形態に合わせて適宜設けるか否かを選択すればよいものである。
【００５８】
＜膝関節用テーピングテープ１０の製造方法＞
膝関節用テーピングテープ１０は、図１に示した積層体を大きなシート状にし、これを膝関節用テーピングテープ１０の形に合わせた抜き型で打ち抜き加工して製造される。
【００５９】
打ち抜き加工の際には、所定の位置に切れ目４０が入れられて２つの一方側延設部と２つの他方側延設部が設けられるとともに、剥離層１６のミシン目３４も同時に形成されるようになっている。
【００６０】
図２に示した略長方形の形態は、図７，図８に示した形態に比べて、打ち抜き加工の際にシートの無駄となる箇所が少なくて済み、製造コストを抑える上では好ましい形態である。
【００６１】
＜膝関節用テーピングテープ１０の使用手順＞
以下、上記説明した膝関節用テーピングテープ１０の使用手順について説明する。
【００６２】
本発明の膝関節用テーピングテープ１０が貼着される部分は、図９に示したように膝５０および膝の皿５２（膝蓋骨）部分の周囲、ならびに太腿６０の内腿６２と外腿６４である。
【００６３】
まず、図１０に示したように膝関節用テーピングテープ１０の背面側から、膝支持貼着部１８の剥離層１６のみを剥離する。
次いで、図１１に示したように膝関節用テーピングテープ１０の膝支持貼着部１８の正面側に付された楕円形の伸縮指標３８が丸形になるまで、膝支持貼着部１８を矢印で示した左右の方向に引張る。
【００６４】
この状態で図１２に示したように、膝を軽く曲げて体が前屈みとなった状態で、膝支持貼着部１８の貼着位置調整用切欠き部３２が、膝の皿（膝蓋骨）５２部分の下にぴったりと位置するように膝関節用テーピングテープ１０の膝支持貼着部１８を貼着する。
【００６５】
次いで、図１３に示したように膝支持貼着部１８の一方側（図１３では右側）に位置する第１一方側延設部２０上に位置する剥離層１６を剥がす。
そして、図１４に示したように第１一方側延設部２０を内腿６２の内側広筋に沿って、引張らずに貼着する。
【００６６】
次いで、図１５に示したように膝支持貼着部１８の他方側（図１５では左側）に位置する第１他方側延設部２４上に位置する剥離層１６を剥がす。
そして、図１６に示したように第１他方側延設部２４を外腿６４の外側広筋に沿って、引張らずに貼着する。
【００６７】
次いで、図１７に示したように膝支持貼着部１８の一方側（図１７では右側）に位置する第２一方側延設部２２上に位置する剥離層１６を剥がす。
そして、図１８に示したように脚を後ろへ半歩ほど下げて太腿６０を伸ばした状態としてから、第２一方側延設部２２を内腿６２の半腱様筋に沿って、引張らずに貼着する。
【００６８】
次いで、図１９に示したように膝支持貼着部１８の他方側（図１９では左側）に位置する第２他方側延設部２６上に位置する剥離層１６を剥がす。
そして、図２０に示したように第２他方側延設部２６を外腿６４の大腿二頭筋に沿って、引張らずに貼着する。
【００６９】
これにより本発明の膝関節用テーピングテープ１０の貼着が完成する。
なお、上記した使用手順では、第１一方側延設部２０と第１他方側延設部２４とを先に、第２一方側延設部２２と第２他方側延設部２６とを後に貼着しているが、この順序を逆にしても良いものである。
【００７０】
このように本発明の膝関節用テーピングテープ１０は、膝関節の固定のために特化して最適な形状に予めカットされてなるものであり、膝５０の前面側から貼着するようになっているため、膝５０の裏側に挟まってしまうことがなく、自分自身で確実にしかも簡単にテーピングをすることができるものである。
【００７１】
以上、本発明の好ましい実施の態様を説明してきたが、本発明はこれに限定されることはなく、例えば上記実施形態では一方側延設部および他方側延設部はそれぞれ２本であるが、２本以上であっても良く、本発明の目的を逸脱しない範囲で種々の変更が可能なものである。
【符号の説明】
【００７２】
１０・・・膝関節用テーピングテープ
１２・・・テープ基材
１４・・・粘着材層
１６・・・剥離層
１８・・・膝支持貼着部
２０・・・第１一方側延設部
２２・・・第２一方側延設部
２４・・・第１他方側延設部
２６・・・第２他方側延設部
２８・・・切欠き部
３０・・・切欠き部
３２・・・貼着位置調整用切欠き部
３４・・・ミシン目
３６・・・順序指標
３８・・・伸縮指標
４０・・・切れ目
５０・・・膝
５２・・・膝の皿（膝蓋骨）
６０・・・太腿
６２・・・内腿
６４・・・外腿
１００・・・テーピングテープ
１０２・・・テープ基材
１０４・・・粘着材層
１０６・・・非粘着部
１０８・・・切れ目
１５０・・・膝
１５２・・・膝の皿（膝蓋骨）
【図１】
2012223236.tif 000003
【図２】
2012223236.tif 000004
【図３】
2012223236.tif 000005
【図４】
2012223236.tif 000006
【図５】
2012223236.tif 000007
【図６】
2012223236.tif 000008
【図７】
2012223236.tif 000009
【図８】
2012223236.tif 000010
【図９】
2012223236.tif 000011
【図１０】
2012223236.tif 000012
【図１１】
2012223236.tif 000013
【図１２】
2012223236.tif 000014
【図１３】
2012223236.tif 000015
【図１４】
2012223236.tif 000016
【図１５】
2012223236.tif 000017
【図１６】
2012223236.tif 000018
【図１７】
2012223236.tif 000019
【図１８】
2012223236.tif 000020
【図１９】
2012223236.tif 000021
【図２０】
2012223236.tif 000022
【図２１】
2012223236.tif 000023
【図２２】
2012223236.tif 000024